(57)【要約】【課題】タッチセンサの省電力モードからの復帰の検出精度を高めることが可能なディスプレイ装置を提供すること。【解決手段】ディスプレイ装置は、表示面と、表示面を覆う表示面カバーと、表示面カバーに配置されたタッチセンサと、タッチセンサの動作モードを、タッチセンサの入力に反応する動作モードと、タッチセンサの入力に反応しない省電力モードとに切り替え可能な制御手段と、音を取得する音取得手段とを備え、制御手段は、音取得手段によって取得された音が、表示面カバーにペンが接触した時に発生する所定の音であった場合、タッチセンサの動作モードを、省電力モードから動作モードに切り替える。【選択図】図５
2020087043.tif 000002
【特許請求の範囲】
【請求項１】
表示面と、
前記表示面を覆う表示面カバーと、
前記表示面カバーに配置されたタッチセンサと、
前記タッチセンサの動作モードを、前記タッチセンサの入力に反応する動作モードと、前記タッチセンサの入力に反応しない省電力モードとに切り替え可能な制御手段と、
音を取得する音取得手段と
を備え、
前記制御手段は、前記音取得手段によって取得された前記音が、前記表示面カバーにペンが接触した時に発生する所定の音であった場合、前記タッチセンサの動作モードを、前記省電力モードから前記動作モードに切り替える
ことを特徴とするディスプレイ装置。
【請求項２】
前記表示面カバーはガラスであり、前記ペンは樹脂である。
ことを特徴とする請求項１に記載のディスプレイ装置。
【請求項３】
前記制御手段は、前記音取得手段によって取得された前記音の音圧が、所定の閾値以上であった場合、前記音取得手段によって取得された前記音が、前記表示面カバーに前記ペンが接触した時に発生する所定の音であるか否かの判断を行う。
ことを特徴とする請求項１または２に記載のディスプレイ装置。
【請求項４】
前記制御手段は、前記音取得手段によって取得された前記音が、前記表示面カバーに前記ペンが接触した時に発生する所定の音であった場合において、前記音取得手段によって取得された前記音の音圧が、所定の閾値未満であった場合、前記タッチセンサの動作モードを、前記省電力モードから前記動作モードに切り替えない
ことを特徴とする請求項１または２に記載のディスプレイ装置。
【請求項５】
前記動作モードは、前記タッチセンサが通電されることにより、前記タッチセンサの入力に反応し、
前記省電力モードは、前記タッチセンサが通電されないことにより、前記タッチセンサの入力に反応する
ことを特徴とする請求項１から４のいずれか一項に記載のディスプレイ装置。
【請求項６】
表示面と、
前記表示面を覆う表示面カバーと、
前記表示面カバーに配置されたタッチセンサと、
前記タッチセンサの動作モードを、前記タッチセンサの入力に反応する動作モードと、前記タッチセンサの入力に反応しない省電力モードとに切り替え可能な制御手段と、
音を取得する音取得手段と
を備えたディスプレイ装置における制御方法であって、
前記音取得手段によって取得された前記音が、前記表示面カバーにペンが接触した時に発生する所定の音であった場合、前記タッチセンサの動作モードを、前記省電力モードから前記動作モードに切り替える
ことを特徴とする制御方法。
【発明の詳細な説明】
【技術分野】
【０００１】
本発明は、ディスプレイ装置および制御方法に関する。
【背景技術】
【０００２】
従来、ディスプレイ装置に搭載される一般的なタッチセンサは、省電力モードであっても、接触を検知してシステムに通知する必要があるため、完全に通電されていない状態となることができず、よって、消費電力をゼロにすることができない。
【０００３】
特許文献１には、スリープモード（省電力モード）を有するスマートフォンにおいて、マイクによって、スリープモードからの復帰を指示する音声であって、所定の音圧を超える音声が取得された場合、スリープモードから復帰する技術が開示されている。この技術によれば、スリープモードにおいて、タッチセンサへの接触検知を復帰条件としていないため、タッチセンサを完全に通電されていない状態にできると考えられる。
【発明の概要】
【発明が解決しようとする課題】
【０００４】
タッチセンサへの接触検知を復帰条件としない他の方法として、振動センサによって振動が検知されると、タッチセンサを省電力モードから通常モードへ切り替える方法が考えらえる。しかしながら、この方法では、振動を誤検知した場合、ユーザの意図に反して、タッチセンサが通常モードへ切り替えられてしまい、無駄な電力を消費してしまう虞がある。
【０００５】
本発明は、上述した従来技術の課題を解決するため、タッチセンサの省電力モードからの復帰の検出精度を高めることが可能なディスプレイ装置を提供することを目的とする。
【課題を解決するための手段】
【０００６】
上述した課題を解決するために、本発明のディスプレイ装置は、表示面と、表示面を覆う表示面カバーと、表示面カバーに配置されたタッチセンサと、タッチセンサの動作モードを、タッチセンサの入力に反応する動作モードと、タッチセンサの入力に反応しない省電力モードとに切り替え可能な制御手段と、音を取得する音取得手段とを備え、制御手段は、音取得手段によって取得された音が、表示面カバーにペンが接触した時に発生する所定の音であった場合、タッチセンサの動作モードを、省電力モードから動作モードに切り替える。
【発明の効果】
【０００７】
本発明によれば、タッチセンサの省電力モードからの復帰の検出精度を高めることが可能なディスプレイ装置を提供することができる。
【図面の簡単な説明】
【０００８】
【図１】一実施形態に係るＩＷＢの外観を示す図
【図２】一実施形態に係るＩＷＢが備えるタッチパネル・ディスプレイの概略構成を示す図
【図３】一実施形態に係るＩＷＢのハードウェア構成を示す図
【図４】一実施形態に係るＩＷＢにおけるタッチセンサの制御系の構成を示す図
【図５】一実施形態に係るＩＷＢによる処理の手順を示すフローチャート
【図６】一実施形態に係るＩＷＢにおけるタッチセンサの動作モードの切り替えタイミングを示す図
【発明を実施するための形態】
【０００９】
〔一実施形態〕
以下、図面を参照して、一実施形態について説明する。
【００１０】
（ＩＷＢ１００の概要）
図１は、一実施形態に係るＩＷＢ（Interactive White Board）１００の外観を示す図である。図１（ａ）は、ＩＷＢ１００の前面側を表しており、図１（ｂ）は、ＩＷＢ１００の背面側を表している。ＩＷＢ１００は、「ディスプレイ装置」の一例である。
【００１１】
図１に示すＩＷＢ１００は、例えば、テレビ会議の通信端末として利用可能であり、テレビ会議が行われる各拠点に設置され、テレビ会議の参加者によって使用される。例えば、ＩＷＢ１００は、インターネット、イントラネット、ＬＡＮ（Local Area Network）等のネットワークを介して、他拠点のＩＷＢ１００とテレビ会議システムを構成する。
【００１２】
ＩＷＢ１００は、自拠点の参加者から入力された各種データ（例えば、映像データ、音声データ、描画データ等）を、ネットワークを介して、他拠点のＩＷＢ１００へ送信することができる。また、ＩＷＢ１００は、自拠点の参加者から入力された各種データや、他拠点のＩＷＢ１００から送信されてきた各種データを、データの種類に応じた出力方法（例えば、表示、音声出力等）によって出力することにより、自拠点の参加者へ呈示することができる。
【００１３】
図１に示すように、ＩＷＢ１００は、本体１００Ａと、メディアボックス１００Ｂとを備えている。本体１００Ａは、長方形状の筐体を有している。メディアボックス１００Ｂは、長方形状の筐体を有しており、本体１００Ａに対して着脱自在である。メディアボックス１００Ｂは、本体１００Ａに接続されることにより、本体１００Ａから電源が供給されて、利用可能となる。
【００１４】
本体１００Ａには、前面にタッチパネル・ディスプレイ１２０が設けられており、背面にコントローラボックス１０２が設けられている。一方、メディアボックス１００Ｂには、前面にカメラ１０３、マイク１０４、スピーカ１０５、および電源ボタン１０６が設けられている。
【００１５】
タッチパネル・ディスプレイ１２０は、ディスプレイ機能とタッチパネル機能とを備えた装置である。タッチパネル・ディスプレイ１２０の具体的な構成については、図２を用いて後述する。
【００１６】
コントローラボックス１０２は、ＩＷＢ１００の各種制御を行う。例えば、コントローラボックス１０２は、ＩＷＢ１００が備える各種ハードウェアの制御、ＩＷＢ１００が備えるテレビ会議に関する各種機能の実行制御等を行う。また、コントローラボックス１０２は、メディアボックス１００Ｂが接続されることにより、メディアボックス１００Ｂに設けられた各ハードウェアの制御を行うことができる。
【００１７】
カメラ１０３は、ＩＷＢ１００の前方の映像を撮像する。カメラ１０３は、例えば、レンズと、イメージセンサと、ＤＳＰ（Digital Signal Processor）等の映像処理回路とを備えて構成されている。イメージセンサは、レンズによって集光された光を光電変換することにより、映像データ（ＲＡＷデータ）を生成する。イメージセンサとしては、例えば、ＣＣＤ（Charge Coupled Device）、ＣＭＯＳ（Complementary Metal Oxide Semiconductor）等が用いられる。映像処理回路は、イメージセンサによって生成された映像データ（ＲＡＷデータ）に対して、ベイヤー変換、３Ａ制御（ＡＥ（自動露出制御）、ＡＦ（オートフォーカス）、およびＡＷＢ（オートホワイトバランス））等の一般的な映像処理を行うことにより、映像データ（ＹＵＶデータ）を生成する。そして、映像処理回路は、生成された映像データ（ＹＵＶデータ）を出力する。ＹＵＶデータは、色情報を、輝度信号（Ｙ）と、輝度信号と青色成分との差（Ｕ）と、輝度信号と赤色成分との差（Ｖ）との組み合わせで表したものである。
【００１８】
マイク１０４は、「音取得手段」の一例である。マイク１０４は、ＩＷＢ１００の前方の音声を集音し、当該音声に対応する音声データ（アナログデータ）を生成した後、当該音声データ（アナログデータ）をアナログ−デジタル変換することによって、集音された音声に対応する音声データ（デジタルデータ）を出力する。
【００１９】
スピーカ１０５は、音声データ（アナログデータ）によって駆動されることにより、当該音声データに対応する音声を出力する。例えば、スピーカ１０５は、他拠点のＩＷＢ１００から送信された音声データによって駆動されることにより、他拠点のＩＷＢ１００において集音された音声を出力する。
【００２０】
電源ボタン１０６は、ＩＷＢ１００の電源のオン−オフの切り替えを行うために、ユーザによって押下操作されるボタンである。
【００２１】
このように構成されたＩＷＢ１００は、カメラ１０３によって取得された映像データ、タッチパネル・ディスプレイ１２０によって取得された描画データ、および、マイク１０４によって取得された音声データを、ネットワークを介して他拠点のＩＷＢ１００へ送信することにより、これらのデータを他拠点のＩＷＢ１００と共有することができる。また、ＩＷＢ１００は、他拠点のＩＷＢ１００から送信された映像データおよび描画データに基づく表示内容を、タッチパネル・ディスプレイ１２０によって表示するとともに、他拠点のＩＷＢ１００から送信された音声データに基づく音声を、スピーカ１０５によって音声出力することにより、これらの情報を他拠点のＩＷＢ１００と共有することができる。
【００２２】
図２は、一実施形態に係るＩＷＢが備えるタッチパネル・ディスプレイ１２０の概略構成を示す図である。図２に示すように、タッチパネル・ディスプレイ１２０は、表示パネル１２２、表示面カバー１２４、およびタッチセンサ１２６を備える。
【００２３】
表示パネル１２２は、各種情報（例えば、映像データ、描画データ等）を表示することができる。表示パネル１２２としては、例えば、液晶パネル、有機ＥＬパネル、電子ペーパー等を用いることができる。
【００２４】
表示面カバー１２４は、表示パネル１２２の表示面を覆う、透明且つ平板状の部材である。一例として、本実施形態では、表示面カバー１２４として、ガラス板が用いられている。
【００２５】
タッチセンサ１２６は、表示面カバー１２４に配置されており、表示面カバー１２４に対する操作体（例えば、指、ペン１５０等）の接触操作（各種情報（例えば、文字、図形、画像等）の入力操作）を検出する。タッチセンサ１２６としては、例えば、静電容量方式、赤外線方式、電磁誘導方式、抵抗膜方式、弾性超音波方式等の、各種タッチセンサを用いることができる。
【００２６】
（ＩＷＢ１００のハードウェア構成）
図３は、一実施形態に係るＩＷＢ１００のハードウェア構成を示す図である。図３に示すように、ＩＷＢ１００は、図１で説明したタッチパネル・ディスプレイ１２０、コントローラボックス１０２、カメラ１０３、マイク１０４、スピーカ１０５、および電源ボタン１０６を備えている。コントローラボックス１０２は、ＣＰＵ（Central Processing Unit）１１１、補助記憶装置１１２、メモリ１１３、通信Ｉ／Ｆ（Inter Face）１１４、および操作部１１５を有する。
【００２７】
ＣＰＵ１１１は、補助記憶装置１１２またはメモリ１１３に記憶されている各種プログラムを実行することにより、ＩＷＢ１００の各種制御を行う。
【００２８】
例えば、ＣＰＵ１１１は、カメラ１０３から取得した映像データ、タッチパネル・ディスプレイ１２０から取得した描画データ、および、マイク１０４から取得した音声データを、符号化した後、通信Ｉ／Ｆ１１４を介して、他拠点のＩＷＢ１００へ送信する。
【００２９】
また、例えば、ＣＰＵ１１１は、他拠点のＩＷＢ１００から送信された映像データ、描画データ、および音声データを、通信Ｉ／Ｆ１１４を介して取得して復号化する。そして、ＣＰＵ１１１は、復号化された映像データ、描画データ、および音声データに基づいて、映像や描画内容をタッチパネル・ディスプレイ１２０に表示させるとともに、音声をスピーカ１０５から音声出力させる。
【００３０】
なお、ＣＰＵ１１１によって使用される符号化方式および復号化方式としては、例えば、Ｈ.２６４/ＡＶＣ、Ｈ.２６４/ＳＶＣ、Ｈ.２６５等が挙げられる。
【００３１】
補助記憶装置１１２は、ＣＰＵ１１１により実行される各種プログラム、ＣＰＵ１１１が各種プログラムを実行するために必要なデータ等を記憶する。補助記憶装置１１２としては、例えば、フラッシュメモリ、ＨＤＤ（Hard Disk Drive）等の、不揮発性の記憶装置が用いられる。
【００３２】
メモリ１１３は、ＣＰＵ１１１が各種プログラムを実行する際に利用する一時記憶領域として機能する。メモリ１１３としては、例えば、ＤＲＡＭ（Dynamic Random Access Memory）、ＳＲＡＭ（Static Random Access Memory）等の、揮発性の記憶装置が用いられる。
【００３３】
通信Ｉ／Ｆ１１４は、ネットワークに接続し、ネットワークを介して他拠点のＩＷＢ１００との間で各種データの送受信を行うためのインタフェースである。通信Ｉ／Ｆ１１４としては、例えば、１０Ｂａｓｅ−Ｔ，１００Ｂａｓｅ−ＴＸ，１０００Ｂａｓｅ−Ｔ等に対応した有線ＬＡＮインタフェース、ＩＥＥＥ８０２．１１ａ／ｂ／ｇ／ｎ等に対応した無線ＬＡＮインタフェース等、を用いることができる。
【００３４】
操作部１１５は、各種入力を行うためにユーザによって操作される。操作部１１５としては、例えば、ボタン、キーボード、マウス、スイッチ等が用いられる。
【００３５】
（タッチパネルの制御系の構成）
図４は、一実施形態に係るＩＷＢ１００におけるタッチセンサ１２６の制御系の構成を示す図である。図４に示すように、ＩＷＢ１００は、タッチセンサ１２６の制御系として、既に説明したマイク１０４およびタッチセンサ１２６に加えて、タッチパネルコントローラ１３２、マイコン１３４、および処理部１３６を備える。
【００３６】
タッチセンサ１２６は、動作モードとして、通常モードおよび省電力モードを有しており、両モードの間で切り替え可能である。通常モードは、「動作モード」の一例である。通常モードは、通常の接触検知を行う動作モードであり、タッチセンサ１２６の入力に反応する動作モードである。省電力モードは、通常モードよりも省電力であり、例えば、待機中のときに使用される動作モードである。本実施形態では、タッチセンサ１２６は、省電力モードでは、タッチパネルコントローラ１３２から通電されず、よって、接触検知を行わない。すなわち、省電力モードは、タッチセンサ１２６の入力に反応しない動作モードである。タッチセンサ１２６は、所定の条件を満たしたとき、通常モードから省電力モードに切り替わる。所定の条件としては、例えば、所定時間以上接触操作がなされなかったとき、省電力モードへの移行を指示する入力操作がなされたとき、等が挙げられる。
【００３７】
タッチパネルコントローラ１３２は、タッチセンサ１２６による接触検知を制御する。例えば、タッチパネルコントローラ１３２は、タッチセンサ１２６に対して電力を供給することにより、タッチセンサ１２６を通電する。そして、タッチパネルコントローラ１３２は、タッチセンサ１２６が接触を検知すると、タッチセンサ１２６から出力される検知信号に基づいて、タッチパネル・ディスプレイ１２０の接触面における操作体（例えば、指、ペン１５０等）の接触位置を特定する。さらに、タッチパネルコントローラ１３２は、特定された接触位置（座標値）を示す接触位置情報を、処理部１３６へ出力する。処理部１３６は、タッチパネルコントローラ１３２から出力された接触位置情報に基づいて、操作体の接触位置に応じた各種処理を実行する。
【００３８】
タッチパネルコントローラ１３２は、リセット状態となり得る。例えば、タッチパネルコントローラ１３２は、タッチセンサ１２６が省電力モードに切り替えられたとき、マイコン１３４からリセット信号が入力されることにより、リセット状態となる。タッチパネルコントローラ１３２は、リセット状態では、動作が完全に停止する。すなわち、タッチパネルコントローラ１３２は、リセット状態において、タッチセンサ１２６を通電しない。よって、タッチセンサ１２６は、操作体の接触検知を行わない状態となる。その後、タッチパネルコントローラ１３２は、タッチセンサ１２６が通常モードに切り替えられるとき、マイコン１３４からリセット解除信号が入力されることにより、リセット状態が解除される。
【００３９】
マイコン１３４は、「制御手段」の一例である。マイコン１３４は、タッチパネルコントローラ１３２に対し、リセットおよびリセット状態の解除を行う。例えば、マイコン１３４は、タッチセンサ１２６が省電力モードに切り替えられたとき、タッチパネルコントローラ１３２をリセットする。また、例えば、マイコン１３４は、タッチセンサ１２６が通常モードに切り替えられるとき、タッチパネルコントローラ１３２のリセット状態を解除する。
【００４０】
本実施形態では、マイコン１３４は、マイク１０４によって取得された音に基づくタイミングで、タッチパネルコントローラ１３２のリセット状態を解除する。具体的には、マイコン１３４は、マイク１０４によって取得された音の音圧が所定の閾値以上であり、且つ、マイク１０４によって取得された音の音圧の傾きが所定の閾値以上である場合、マイク１０４によって取得された音に対する公知の周波数解析処理（例えば、ＦＦＴ（Fast Fourier transform）解析処理）を行う。そして、マイコン１３４は、周波数解析の結果に、所定の音の周波数成分が含まれている場合、タッチパネルコントローラ１３２のリセット状態を解除する。ここで、「所定の音の周波数成分」とは、ガラス製の表示面カバー１２４の表面に、樹脂製のペン１５０の先端が当接したときに生じる音の周波数成分である。「所定の音の周波数成分」は、シミュレーション等により、予め求められるものである。
【００４１】
（ＩＷＢ１００による処理の手順）
図５は、一実施形態に係るＩＷＢ１００による処理の手順を示すフローチャートである。
【００４２】
まず、所定の条件が満たされると、タッチセンサ１２６が、通常モードから省電力モードに切り替わる（ステップＳ５０１）。そして、マイコン１３４が、タッチパネルコントローラ１３２をリセットする（ステップＳ５０２）。
【００４３】
次に、マイコン１３４が、マイク１０４から音が入力されたか否かを判断する（ステップＳ５０３）。ステップＳ５０３において、マイク１０４から音が入力されていないと判断された場合（ステップＳ５０３：Ｎｏ）、ＩＷＢ１００は、ステップＳ５０３へ処理を戻す。
【００４４】
一方、ステップＳ５０３において、マイク１０４から音が入力されたと判断された場合（ステップＳ５０３：Ｙｅｓ）、マイコン１３４が、マイク１０４から入力された音の音圧が所定の閾値以上であるか否かを判断する（ステップＳ５０４）。ステップＳ５０４において、マイク１０４から入力された音の音圧が所定の閾値以上ではないと判断された場合（ステップＳ５０４：Ｎｏ）、ＩＷＢ１００は、ステップＳ５０３へ処理を戻す。
【００４５】
一方、ステップＳ５０４において、マイク１０４から入力された音の音圧が所定の閾値以上であると判断された場合（ステップＳ５０４：Ｙｅｓ）、マイコン１３４が、マイク１０４から入力された音の音圧の傾きが所定の閾値以上であるか否かを判断する（ステップＳ５０５）。ステップＳ５０５において、マイク１０４から入力された音の音圧の傾きが所定の閾値以上ではないと判断された場合（ステップＳ５０５：Ｎｏ）、ＩＷＢ１００は、ステップＳ５０３へ処理を戻す。
【００４６】
一方、ステップＳ５０５において、マイク１０４から入力された音の音圧の傾きが所定の閾値以上であると判断された場合（ステップＳ５０５：Ｙｅｓ）、マイコン１３４が、マイク１０４から入力された音の周波数解析を行う（ステップＳ５０６）。
【００４７】
そして、マイコン１３４が、ステップＳ５０６における周波数解析の結果に、所定の音の周波数成分（すなわち、ガラス製の表示面カバー１２４の表面に、樹脂製のペン１５０の先端が当接したときに生じる音の周波数成分）が含まれているか否かを判断する（ステップＳ５０７）。
【００４８】
ステップＳ５０７において、所定の音の周波数成分が含まれていないと判断された場合（ステップＳ５０７：Ｎｏ）、ＩＷＢ１００は、ステップＳ５０３へ処理を戻す。一方、ステップＳ５０７において、所定の音の周波数成分が含まれていると判断された場合（ステップＳ５０７：Ｙｅｓ）、マイコン１３４が、タッチパネルコントローラ１３２のリセット状態を解除する（ステップＳ５０８）。これにより、タッチセンサ１２６が、省電力モードから通常モードに切り替わる（ステップＳ５０９）。そして、ＩＷＢ１００は、図５に示す一連の処理を終了する。
【００４９】
（タッチセンサ１２６の動作モードの切り替えタイミング）
図６は、一実施形態に係るＩＷＢ１００におけるタッチセンサ１２６の動作モードの切り替えタイミングを示す図である。図６のグラフにおいて、縦軸は、タッチパネルコントローラ１３２の消費電流を示し、横軸は、時間を示す。
【００５０】
図６に示すように、タッチセンサ１２６は、所定の条件（例えば、所定時間以上接触操作がなされなかったとき、省電力モードへの移行を指示する入力操作がなされたとき等）が満たされたタイミング（タイミングｔ１）において、通常モードから省電力モードに切り替えられる。省電力モードでは、タッチパネルコントローラ１３２は、リセット状態となり、タッチセンサ１２６を通電しない。よって、省電力モードでは、タッチセンサ１２６は、接触検知を行わない。このため、省電力モードでは、図６に示すように、タッチパネルコントローラ１３２の消費電流は略ゼロとなる。
【００５１】
省電力モードにおいて、表示面カバー１２４にペン１５０が接触し、マイク１０４がこの接触音を取得すると、マイコン１３４が、この接触音が、表示面カバー１２４にペン１５０が接触したときの接触音であるか否かを判断する。具体的には、マイコン１３４は、この接触音の音圧が所定の閾値以上であり、この接触音の音圧の傾きが所定の閾値以上であり、且つ、この接触音に所定の音の周波数成分が含まれている場合、この接触音が、表示面カバー１２４にペン１５０が接触したときの接触音であると判断する。そして、マイコン１３４は、表示面カバー１２４にペン１５０が接触したときの接触音であると判断したタイミングで（タイミングｔ２）、タッチパネルコントローラ１３２のリセット状態を解除する。これにより、タッチパネルコントローラ１３２は、タッチセンサ１２６を通電する。その結果、タッチセンサ１２６は、通常モードに切り替わり、接触検知を行う。
【００５２】
以上説明したように、本実施形態のＩＷＢ１００では、マイコン１３４（制御手段）により、マイク１０４（音取得手段）によって取得された音が、表示面カバー１２４にペン１５０が接触した時に発生する所定の音であった場合、タッチセンサ１２６の動作モードを、省電力モードから通常モードに切り替える。これにより、本実施形態のＩＷＢ１００は、実際に、表示面カバー１２４にペン１５０が接触し、その接触音を取得したときに、タッチセンサ１２６を省電力モードから通常モードに切り替えることができ、それ以外の音が取得された場合には、タッチセンサ１２６を省電力モードから通常モードに切り替えない。よって、本実施形態のＩＷＢ１００は、ユーザの意図に反して、タッチセンサが通常モードへ切り替えられてしまう可能性が低い。したがって、本実施形態のＩＷＢ１００によれば、タッチセンサ１２６の省電力モードからの復帰の検出精度を高めることが可能である。
【００５３】
特に、本実施形態のＩＷＢ１００において、表示面カバー１２４はガラスであり、ペン１５０は樹脂である。すなわち、本実施形態のＩＷＢ１００は、表示面カバー１２４およびペン１５０の材質が特定されており、これらの材質に固有の接触音を取得したときに、タッチセンサ１２６を省電力モードに切り替えることができる。したがって、本実施形態のＩＷＢ１００によれば、タッチセンサ１２６の省電力モードからの復帰の検出精度をより高めることが可能である。
【００５４】
さらに、本実施形態のＩＷＢ１００において、マイコン１３４は、マイク１０４によって取得された音の音圧が、所定の閾値以上であった場合、マイク１０４によって取得された音が、表示面カバー１２４にペン１５０が接触した時に発生する所定の音であるか否かの判断を行う。これにより、本実施形態のＩＷＢ１００は、表示面カバー１２４にペン１５０が接触した時に発生する音の音圧が、一時的に高まることに鑑み、このような音圧の音が得られたときに、タッチセンサ１２６を省電力モードから通常モードに切り替えることができる。したがって、本実施形態のＩＷＢ１００によれば、タッチセンサ１２６の省電力モードからの復帰の検出精度をより高めることが可能である。
【００５５】
以上、本発明の好ましい実施形態について詳述したが、本発明はこれらの実施形態に限定されるものではなく、特許請求の範囲に記載された本発明の要旨の範囲内において、種々の変形又は変更が可能である。
【００５６】
例えば、上記実施形態（図５）では、マイコン１３４は、先に、マイク１０４によって取得された音の音圧が、所定の閾値以上であるか否かを判定し、その後、マイク１０４によって取得された音が、所定の音であるか否かを判定しているが、これに限らない。例えば、マイコン１３４は、先に、マイク１０４によって取得された音が、所定の音であるか否かを判定し、その後、マイク１０４によって取得された音の音圧が所定の閾値以上であるか否かを判定してもよい。この場合、マイコン１３４は、マイク１０４によって取得された音が、所定の音であった場合において、マイク１０４によって取得された音の音圧が、所定の閾値未満であった場合、タッチセンサ１２６の動作モードを、省電力モードから通常モードに切り替えないようにしてもよい。
【００５７】
また、例えば、上記実施形態において、タッチセンサ１２６を省電力モードから復帰させるための復帰条件として、他の条件（例えば、振動センサによって検出された振動に基づく条件、加速度センサによって検出された加速度を用いた条件、等）を追加で設けるようにしてもよい。これにより、タッチセンサ１２６の省電力モードからの復帰の検出精度をより高めることが可能である。
【００５８】
また、例えば、上記実施形態では、「ディスプレイ装置」の一例としてＩＷＢ１００（電子黒板）を用いているが、これに限らない。本発明は、少なくとも、「表示面」、「表示面カバー」、および「タッチセンサ」を備えたものであれば、如何なるディスプレイ装置（例えば、スマートフォン、タブレット端末等）にも適用可能である。
【００５９】
また、例えば、上記実施形態では、ＩＷＢ１００に標準装備されているマイク１０４を用いて、表示面カバー１２４に対するペン１５０の接触音を取得するようにしているが、これに限らない。例えば、マイク１０４とは別に、専用のマイクを設けて、当該専用のマイクにより、表示面カバー１２４に対するペン１５０の接触音を取得するようにしてもよい。
【００６０】
また、例えば、上記実施形態では、表示面カバー１２４はガラスであり、ペン１５０は樹脂であるが、これに限らない。すなわち、表示面カバー１２４およびペン１５０の少なくともいずれか一方において、他の材質が用いられたものであってもよい。この場合も、表示面カバー１２４およびペン１５０の材質に固有の接触音を取得したときに、タッチセンサ１２６を省電力モードから通常モードに切り替えることにより、タッチセンサ１２６の省電力モードからの復帰の検出精度を高めることが可能である。
【符号の説明】
【００６１】
１００  ＩＷＢ（ディスプレイ装置）
１００Ａ  本体
１００Ｂ  メディアボックス
１０２  コントローラボックス
１０３  カメラ
１０４  マイク（音取得手段）
１０５  スピーカ
１２０  タッチパネル・ディスプレイ
１２２  表示パネル
１２４  表示面カバー
１２６  タッチセンサ
１３２  タッチパネルコントローラ
１３４  マイコン（制御手段）
１３６  処理部
１５０  ペン
【先行技術文献】
【特許文献】
【００６２】
【特許文献１】特開２０１４−４１４６４号公報
【図１】
2020087043.tif 000003
【図２】
2020087043.tif 000004
【図３】
2020087043.tif 000005
【図４】
2020087043.tif 000006
【図５】
2020087043.tif 000007
【図６】
2020087043.tif 000008